(57)【特許請求の範囲】
【請求項１】
中央開口部とこの中央開口部を同心に包囲しているクランプエリアとこのクランプエリアを同心に包囲している情報エリアとからなる光ディスクであり、情報はディスクの第１の面の情報エリア内に記録され、ディスクはさらにクランプエリア内に第１の面のその他の部分よりも突出した突出部構造を備え、これによってディスクの他の部分の厚さよりも大きなクランプ用の厚みをディスクに与える光ディスクにおいて、突出部構造を形成するための材料の第１の量がこの突出部構造を除いたクランプエリアを形成する材料の第２の量の５％未満であり、突出部構造は第１の表面から上方にディスクのその他の部分の厚さと等しい高さを有する光ディスク。
【請求項２】
突出部構造を形成する材料の第１の量がこの突出部構造を除いたクランプエリアを形成する材料の第２の量の１ないし３％の範囲内である請求項１記載の光ディスク。
【請求項３】
第１の表面のその他の部分の上方の突出部構造の高さは０．６ｍｍである請求項１記載の光ディスク。
【請求項４】
突出部構造は中央開口部から外側に向かって放射状に延在する複数のリブからなる請求項１記載の光ディスク。
【請求項５】
複数は少なくとも３つである請求項４記載の光ディスク。
【請求項６】
リブは中央開口部の周りにおいて等間隔に互いに離間して配置される請求項４記載の光ディスク。
【請求項７】
突出部構造は中央開口部と同心のリングからなる請求項１記載の光ディスク。
【請求項８】
突出部構造は中央開口部と同心にその周りに互いに等間隔で配置された複数のバンプからなる請求項１記載の光ディスク。
【発明の詳細な説明】
【０００１】
【産業上の利用分野】
この発明は、単基板オーディオまたはビデオＤＶＤ等の単基板光ディスクに関する。
【０００２】
【従来の技術】
１つの表面上に光トラック構造を形成するピットおよびランドを有する光ディスクは単基板光ディスクとして知られており、他方２枚の単基板ディスクを背中合わせに接着したものが二重基板光ディスクとして知られている。二重基板ディスクを製造する際は接着する２枚の基板の合計の厚みによってクランプエリアが特徴付けられる。（“クランプエリア”はＤＶＤを再生する際に再生装置のクランプ機構によって被包あるいは把持される部分である。“エリア”という用語は光ディスクの三次元部位あるいは領域を示すためにしばしば使用される。従ってディスクのクランプエリアは二次元の表面領域ではなくこの二次元の領域の厚みも含むものである。従ってこのディスクの“クランプエリア”を形成するために一定の容積、質量、または量のプラスチック材料が必要とされる。）
【０００３】
オーディオまたはビデオＤＶＤ上に記録された情報を再生する装置内において、ディスクを把持するクランプはこの型式のディスクのクランプエリアの厚みに対応するように設計する必要がある。市販の８０ｍｍＤＶＤのクランプエリアは通常約３３ｍｍの外形と約２２ｍｍの内径（中央開口部を規定する）とを有する環状の領域内に位置している。
【０００４】
今日において市販されている典型的な再生装置は二重基板光オーディオまたはビデオＤＶＤ用に設計されている。この種の二重基板ディスクのクランプエリアの厚さは一般的に約１．２ｍｍであり、これはそれぞれ約０．６ｍｍの２枚の基板を接着して形成されている。二重基板ディスクを使用するために設計されたクランプの特性に対応するためには、単基板光ディスクのクランプエリアの厚さを二重基板ディスクのものと同様にする必要がある。例えば、単基板ＤＶＤのクランプエリアの厚さを約１．２ｍｍに増大させれば、０．６ｍｍの厚さを有する単基板ＤＶＤを１．２ｍｍの厚さを有するＤＶＤ用に設計されたプレーヤで再生することが可能になる。
【０００５】
この目的を達成するための従来の方式は、それぞれ異なった厚さを有する２つの領域２０および３０からなる光ディスク１０（図１）を製造することである。第１の領域２０は環状断面を有する円筒形の領域であり光ディスク１０の中央部分を構成し、第２の領域３０はディスクのそれ以外の外側環状領域である。第１の領域２０の厚さは第２の領域３０の厚さよりも大きなものとなる。この種のディスクは、国際特許出願第ＷＯ９８／１０４１８号に記載されているように、ディスクのクランプエリアに追加的な材料からなるハブを成形することによって製造することができる。約０．６ｍｍの厚さを有する追加的な材料を約０．６ｍｍの厚さを有する基板３０上に成形すれば領域２０の合計の厚さは約１．２ｍｍに達する。この構造によって二重基板ＤＶＤを再生するために設計された再生装置で単基板ＤＶＤを再生することが可能になる。
【０００６】
しかしながら、従来の解決方式は多くの問題点を伴っている。例えば、前述した方式に従ってディスクを製造する場合、ハブを形成するために使用される多くの質量の材料によってハブが放射方向および垂直方向に収縮することがもたらされ、情報が書き込まれている領域を含む他のディスク領域の材料を引張する。この歪み現象によってディスクの傾動、応力、複屈折、および電気特性に負の影響をもたらす。この現象を抑制するために、例えば各ディスクの成形に対して冷却時間を拡大することができるが、これによってディスクの生産工程の効率が低下する。
【０００７】
【発明が解決しようとする課題】
従って、本発明の目的は、前記の課題を解決し効率的に製造することができる光ディスクのクランプ部分の収縮を低減する方法および装置を提供することである。
【０００８】
【課題を解決するための手段】
本発明の原理に従ってハブ構造の設計を変更しそれによって二重基板ディスクの厚さに調節するために必要な材料の量を削減することによって、前述した歪み現象ならびにそれに伴ったディスクの製造および性能に対する負の影響を低減することができる。例えば、図１に示されているとともに国際特許出願ＷＯ９８／１０４１８号に記載されている固定式のハブは、ディスクのクランプエリア内に配置された１つまたは複数の比較的小さな突出部によって代替することができる。これらの突出部は例えばスポーク、バンプ、またはリング等の種々の形状とすることができ、その数、配置、形状およびサイズを変更することもできる。ハブ構造の収縮を低減することに加えて、この方式によればディスクをより高速に成形するとともにディスクのクランプエリアを形成するために必要な材料を削減することが可能になるため製造コストを低減することができる。さらに、本発明によれば美観的にもより良好なディスクの製造が可能となる。
【０００９】
本発明のその他の詳細、特徴ならびに種々の利点は、添付図面ならびに以下の詳細な説明によって理解される。
【００１０】
【実施例】
本発明はオーディオあるいはビデオＤＶＤ等の光ディスク５０（図２および図３）からなり、これは通常プラスチックから形成されその一方の面５２（図２の上面）上にデータを現すピットおよびランドを有している。このピットおよびランドは勿論極めて小さいものであり、ここで使用されている縮尺で図示することは不可能である。（ここでは一般的に“ピットおよびランド”と呼称するが、データ記録技術において代替的に“バンプおよびランド”と呼称し得ることが理解される。ここで称する“ピットおよびランド”は、“ピットおよびランド”と“バンプおよびランド”の総称であることが理解される。）本発明の目的は、１つまたは複数の比較的小さな突出部６０をクランプエリア内に有する単基板光ディスク５０を製造することによって達成される。
【００１１】
図２および図３に示されているように、本発明に係る光ディスク５０の一例は実質的に透明な円盤型基板５４からなり、その一方の面上（クランプエリアの半径方向外側）にピットおよびランドからなるデータ記録構造を備え、クランプエリア内に略放射状のスポーク形突出部６０を備えている。図２および図３に示されている本発明の典型的な実施例は０．６ｍｍの厚さの円盤型基板からなり、これはそれぞれ約６ｍｍの長さと２ｍｍの幅と約０．６ｍｍの高さを有する３つのスポーク形突出部６０をクランプエリア内に備えている。スポーク６０はディスク５０の略半径方向に延在しており、ディスクの中央開口部５６の周りにおいて円周方向に等間隔で離間して配置されている。この特定の例においてはクランプエリア内に３つのスポーク形突出部が設けられ、例えば図１に示されている従来のハブ設計に比べて大幅に歪み量が削減される。
【００１２】
突出部６０の数および寸法は、追加的な材料の収縮による歪み量が許容不可能なものとならない限りにおいて変更することが可能である。突出部構造６０は、クランプエリアにおいて必要とされる厚みの拡大を確実に達成する大きさであると同時に、前述した歪み現象を低減するために充分に小さいものとすることが好適である。このため、突出部を形成するためにディスクのクランプエリアに付加される材料の量は従来型のクランプエリアを形成するために使用した材料の量（これは単基板ディスクの残りの部分の厚さと同じものである）の約５％とすることが好適である。付加する材料の量を従来型のクランプエリアに必要とされた材料の１ないし３％とすればさらに好適である。例えば、図２および図３に示された説明的な実施例において、前記の“従来型のクランプエリア”とは０．６ｍｍの厚さのクランプエリア５８である。この従来型のクランプエリアの材料の量がＸであるとすると、突出部６０内に付加される材料の量はＸの約５％より大きくならないことが好適であり、Ｘの１ないし３％とすればさらに好適である。
【００１３】
本発明に係るディスクは、１つあるいは複数のバンプまたはリング等のその他の形状の突出部を備えることもできる。これらの要素は多様なパターンで組み合わせおよび／または配置を行うことができる。突出部は対称的に配置することが好適である。
【００１４】
図４および図５には、本発明に係る代替的な突出部のいくつかの実施例が示されている。図４において突出部６０′はディスク５０′の中央開口部５６と実質的に同心の単一の環状リングから形成されている。リング６０′に沿ったディスク５０′の部分断面が図３に示されている。例えば、図４の線Ａ−Ａに沿った断面は参照符号６０を６０′に変更すれば図３のものと同様になる。リング６０′は勿論ディスク５０′のクランプエリアに存在する。図５において、突出部構造６０″はディスク５０″の中央開口部５６の周りに等間隔で配置された４つのバンプから構成されている。ここで再び、１つのバンプ６０″を通じたディスク５０″の部分断面は図３のものと同様になる。例えば、図５の線Ｂ−Ｂに沿った断面は参照符号６０を６０″に変更すれば図３のものと同様になる。バンプ６０″は勿論ディスク５０″のクランプエリアに存在する。
【００１５】
本発明を別の言葉で要約すると、光ディスク５０／５０′／５０″は、中央開口部５６とこの中央開口部を実質的に同心に包囲しているクランプエリア５８とこのクランプエリアを実質的に同心に包囲している情報エリア５２とからなる。情報はディスクの第１の面（図の上側面）の情報エリア内に記録されている。（この参照符号５２はディスクの第１の面を示すために使用することもある。）ディスクはクランプエリア５８内に第１の面５２のその他の部分よりも突出した突出部構造６０／６０′／６０″を備えている。この突出部構造６０／６０′／６０″の目的はディスクの他の部分の厚さＴ（図３）よりも大きなクランプ用の厚み（すなわちディスク再生装置あるいはディスクを使用する装置のクランプ機構に対して充分な厚さ）を提供することである。しかしながら、前述したディスク変形問題を防止するために突出部構造によって追加される材料の量は従来型のクランプエリア（突出部構造を除いたクランプエリアの平板部分）に使用される材料の約５％（より好適には１ないし３％）未満とすることが好適である。
【００１６】
突出部構造６０／６０′／６０″は前述した一般的条件内で多様な形状（例えば（１）ディスクの中央開口部５６から実質的に半径方向外側に延在するとともに中央開口部の周りに互いに略等間隔で配置された複数のリブ６０、（２）中央開口部５６と実質的に同心の環状リング６０′、（３）中央開口部５６と実質的に同心にその周りに互いに略等間隔で配置された複数のバンプ６０″）のうちのいずれかとすることができるが、本発明に従った歪み現象の削減における重要な要素は前述した境界部分に付加される材料の量に限定される。このことを達成するための極めて好適な実施例はディスクの中央開口部５６から半径方向外側に延在している等間隔に配置された３本のリブ６０からなり、これにはその下のクランプエリアを形成する材料の量の１ないし３％の量の材料を付加する。
【００１７】
前述の実施例は単に本発明の原理を説明するためのものであり、当業者においては本発明の範囲および概念を逸脱することなく種々の設計変更をなし得ることが理解される。
【図面の簡単な説明】
【図１】約０．６ｍｍ厚さを増大させたハブを情報書き込み面側に有する従来の光ディスクを示す断面図である。
【図２】放射状スポーク形の突出部をクランプエリア内に有する、本発明に係る光ディスクの実施例を示す平面図である。
【図３】図２の線３−３に沿った部分断面図である。
【図４】本発明の別の実施例を示す平面図である。
【図５】本発明のさらに別の実施例を示す平面図である。
【符号の説明】
１０，５０，５０′，５０″  光ディスク
２０，３０  領域
５２  表面
５４  基板
５６  開口部
５８  クランプエリア
６０，６０′，６０″  突出部
【図１】
0003981312.tif 000002
【図２】
0003981312.tif 000003
【図３】
0003981312.tif 000004
【図４】
0003981312.tif 000005
【図５】
0003981312.tif 000006